(57)【要約】    【課題】      釣糸の切断を防止でき、しかも、安価に製造できる釣糸取付具を提供する。    【解決手段】  釣糸取付具１０は、釣竿１２の穂先１２ａに取り付けられる取付管１６と、ソケット装着軸１８と、フック２０と、ソケット２２とによって構成されている。ソケット２２は、先端へ向かうにつれて拡径するテーパ部２２ａとテーパ部２２ａの先端から先方へ延びるストレート部２２ｂとを有しており、テーパ部２２ａをフック２０に係止させたとき、フック２０の先端部がソケット２２の先端より先方に突出されるとともに、その突出された部分によって釣糸１４を通す孔２４が構成される。また、ソケット２２のストレート部２２ｂがフック２０の湾曲部２０ｂに圧接され、ソケット２２の不所望な移動が防止される。【選択図】        図１
2005328772.tif 000002
【特許請求の範囲】
【請求項１】
釣竿の穂先に取り付けられる取付管と、前記取付管の先端に一体的に設けられたソケット装着軸と、前記ソケット装着軸側へ曲げ返された湾曲部を有し、前記ソケット装着軸の先端に一体的に設けられたフックと、前記ソケット装着軸の外面に軸方向へスライド自在に装着され、前記フックの開口を開閉する筒状のソケットとを備える、釣糸取付具において、
前記ソケットは先端へ向かうにつれて拡径するテーパ部を有し、前記テーパ部を前記湾曲部に係止させたとき、前記フックの先端部が前記ソケットの先端より先方へ突出され、かつ、その突出された部分によって釣糸を通す孔が構成されることを特徴とする、釣糸取付具。
【請求項２】
前記フックは前記テーパ部の先端から先方へ延びるストレート部を有しており、前記フックの前記湾曲部は弾性を有しており、前記テーパ部を前記湾曲部に係止させたとき、前記ストレート部が前記湾曲部に圧接されて固定される、請求項１に記載の釣糸取付具。
【請求項３】
前記ソケット装着軸の外周面には雄ネジが形成されており、前記ソケットの内周面には前記雄ネジに螺合される雌ネジが形成されている、請求項１または２に記載の釣糸取付具。
【発明の詳細な説明】
【技術分野】
【０００１】
本発明は、釣竿の穂先に釣糸を取り付けるための釣糸取付具に関する。
【背景技術】
【０００２】
従来の釣糸取付具の一例が実用新案登録第３０５４６６３号に開示されている。この釣糸取付具は、釣竿の穂先に取り付けられるパイプと、パイプの先端に一体的に設けられたフックと、フックの軸部にスライド自在に装着された筒状のソケットとを備えており、ソケットによってフックの開口を閉じた際には、ソケットの先端がフックの先端部よりも先方に配置されていた。
【特許文献１】実用新案登録第３０５４６６３号
【発明の開示】
【発明が解決しようとする課題】
【０００３】
上述の従来技術（特許文献１）では、フックの開口をソケットで閉じた状態において、ソケットの先端がフックの先端部よりも先方に配置されていたので、使用時には、フックに引っ掛けられた釣糸がソケットの開口端に接触し、その開口端によって釣糸が切断されるおそれがあった。そして、釣糸の切断を防止しようとすると、ソケットの開口端に丸みを持たせる必要があり、ソケットの加工コストが高くなるという問題があった。
【０００４】
それゆえに、この発明の主たる目的は、釣糸の切断を防止でき、しかも、安価に製造できる、釣糸取付具を提供することである。
【課題を解決するための手段】
【０００５】
請求項１に記載した発明は、「釣竿１２の穂先１２ａに取り付けられる取付管１６と、取付管１６の先端に一体的に設けられたソケット装着軸１８と、ソケット装着軸１８側へ曲げ返された湾曲部２０ｂを有し、ソケット装着軸１８の先端に一体的に設けられたフック２０と、ソケット装着軸１８の外面に軸方向へスライド自在に装着され、フック２０の開口２０ｅを開閉する筒状のソケット２２とを備える、釣糸取付具１０において、ソケット２２は先端へ向かうにつれて拡径するテーパ部２２ａを有し、テーパ部２２ａを湾曲部２０ｂに係止させたとき、フック２０の先端部がソケット２２の先端より先方に突出され、かつ、その突出された部分によって釣糸を通す孔２４が構成されることを特徴とする、釣糸取付具１０」である。
【０００６】
この発明では、フック２０の先端部がソケット２２の先端より先方に突出され、その突出された部分によって釣糸１４を通す孔２４が構成されるので、使用時には、フック２０の先端部に引っ掛けられた釣糸１４がソケット２２の開口端に接触することはない。
【０００７】
請求項２に記載した発明は、請求項１に記載した「釣糸取付具１０」において、「フック２０はテーパ部２２ａの先端から先方へ延びるストレート部２２ｂを有しており、フック２０の湾曲部２０ｂは弾性を有しており、テーパ部２２ａを湾曲部２０ｂに係止させたとき、ストレート部２２ｂが湾曲部２０ｂに圧接されて固定される」ことを特徴とする。
【０００８】
この発明では、ストレート部２２ｂが湾曲部２０ｂに圧接されることによって、ソケット２２の不所望な移動が防止され、フック２０の閉状態が保持される。
【０００９】
請求項３に記載した発明は、請求項１または２に記載した「釣糸取付具１０」において、「ソケット装着軸１８の外周面には雄ネジ２６が形成されており、ソケット２２の内周面には雄ネジ２６に螺合される雌ネジ２８が形成されている」ことを特徴とする。
【００１０】
この発明では、ソケット装着軸１８の雄ネジ２６とソケット２２の雌ネジ２８とが螺合されるので、ソケット装着軸１８に対してソケット２２が軸方向へ移動するのを防止できる。
【発明の効果】
【００１１】
請求項１〜３に記載した発明によれば、フックの先端部がソケットの先端より先方に突出され、その突出された部分に釣糸を通す孔が確保される。したがって、使用時には、フックの先端部に引っ掛けられた釣糸がソケットの開口端に接触することはなく、開口端によって釣糸が切断されるのを確実に防止できる。また、釣糸の切断を防止するために、ソケットの開口端に丸みを持たせる必要がないので、製造コストを大幅に低減できる。
【００１２】
さらに、フックの先端部がソケットの先端より先方に突出され、その突出された部分に孔が確保されるので、ソケットをスライドさせることなく、孔に釣糸を直接取り付けることができる。
【発明を実施するための最良の形態】
【００１３】
図１および図２を参照して、本発明が適用された釣糸取付具１０は、へら竿や鮎竿等のような一般的な釣竿１２の穂先１２ａに釣糸１４（図３）を取り付けるためのものであり、穂先１２ａに取り付けられる取付管１６と、取付管１６の先端に一体的に設けられたソケット装着軸１８と、ソケット装着軸１８の先端に一体的に設けられたフック２０と、ソケット装着軸１８の外面に軸方向へスライド自在に装着されたソケット２２とを備えている。
【００１４】
取付管１６は、ステンレスやアルミニウム等のような金属からなる管材であり、取付管１６の内径は、穂先１２ａおよびソケット装着軸１８の外径よりやや大きく設定されており、取付管１６の長さは、穂先１２ａおよびソケット装着軸１８との接合強度を十分に確保し得るように設定されている。
【００１５】
ソケット装着軸１８は、ステンレスやアルミニウム等のような金属からなる管材であり、ソケット装着軸１８の内径は、フック２０における取付軸２０ａの外径よりやや大きく設定されており、ソケット装着軸１８の取付管１６から突出した部分（突出部）１８ａの長さは、ソケット２２に必要な一定のスライドストロークを確保し得るように設定されている。
【００１６】
フック２０は、針金や帯状金属板等のような長尺部材を曲げ加工することによって得られたものであり、ソケット装着軸１８の先端部に接合される取付軸２０ａと、取付軸２０ａと一体に形成された弾性を有する湾曲部２０ｂとを有している。湾曲部２０ｂは、ソケット装着軸１８側へＵ状に曲げ返されており、湾曲部２０ｂの先端２０ｃは湾曲部２０ｂの基部２０ｄに臨まされており、先端２０ｃと基部２０ｄとの間には、釣糸１４の端部に形成された環状部１４ａ（図３）を通すための開口２０ｅが確保されている。
【００１７】
ソケット２２は、ステンレスやアルミニウム等のような金属またはプラスチック等からなる管材であり、先端へ向かうにつれて拡径するテーパ部２２ａと、テーパ部２２ａの先端から先方へ延びて形成されたストレート部２２ｂとを有している。テーパ部２２ａの最小内径は、ソケット装着軸１８の外径よりもやや大きく設定されており、テーパ部２２ａの最大内径すなわちストレート部２２ｂの内径は、フック２０における湾曲部２０ｂの幅よりもやや小さく設定されている。また、ソケット２２におけるストレート部２２ｂの長さは、テーパ部２２ａをフック２０の湾曲部２０ｂに係止させたときに、フック２０の先端部がソケット２２の先端より先方へ突出され、かつ、その突出された部分によって釣糸１４（図３）を通す孔２４（図２、図３）が構成され得るように設定されている。
【００１８】
釣糸取付具１０を組み立てる際には、取付管１６の先端部にソケット装着軸１８を挿入し、ソケット装着軸１８の外周にソケット２２を配置した後、ソケット装着軸１８の先端部にフック２０の取付軸２０ａを挿入する。続いて、取付管１６、ソケット装着軸１８および取付軸２０ａが重なる位置において、取付管１６およびソケット装着軸１８の一部を共に縮径させ、これによって、取付管１６、ソケット装着軸１８およびフック２０を相互に結合する。釣糸取付具１０を釣竿１２の穂先１２ａに取り付ける際には、穂先１２ａに接着剤を塗布し、これを釣糸取付具１０の取付管１６に挿入して接合する。
【００１９】
釣糸取付具１０を用いて釣竿１２の穂先１２ａに釣糸１４を取り付ける際には、まず、図２（Ａ）に示すように、釣糸取付具１０のソケット２２をソケット取付管１６側へ移動させることによって、フック２０の開口２０ｅを開く。続いて、図３（Ａ）に示すように、この開口２０ｅからフック２０の湾曲部２０ｂに釣糸１４の端部に形成された環状部１４ａを引っ掛ける。その後、図２（Ｂ）および図３（Ｂ）に示すように、ソケット２２をフック２０側へ移動させることによって、ソケット２２のテーパ部２２ａをフック２０の湾曲部２０ｂに係止させ、ソケット２２によってフック２０の開口２０ｅを閉じる。
【００２０】
開口２０ｅを閉じた際には、ソケット２２のテーパ部２２ａがフック２０の湾曲部２０ｂに係止され、フック２０の先端部がソケット２２の先端より先方へ突出されるとともに、その突出された部分によって釣糸１４を通す孔２４が構成される。したがって、釣竿１２の使用時には、フック２０に引っ掛けられた釣糸１４がソケット２２の開口端に当たる心配がなく、開口端によって釣糸１４が切断されるのを防止できる。また、開口２０ｅを閉じた際には、ソケット２２のストレート部２２ｂが弾性を有する湾曲部２０ｂに圧接されて固定されるので、開口２０ｅが不所望に開くことはない。
【００２１】
なお、上述の実施例では、ソケット２２のストレート部２２ｂを湾曲部２０ｂに圧接させることによって、ソケット２２の不所望な移動を防止しているが、図４に示すように、ソケット装着軸１８の外周面に雄ネジ２６を形成するとともに、ソケット２２の内周面に雌ネジ２８を形成し、これらを互いに螺合することによって、ソケット２２の不所望な移動を防止するようにしてもよい。この場合でも、ソケット２２のストレート部２２ｂをフック２０の湾曲部２０ｂに圧接させるようにすれば、ソケット２２によって開口２０ｅを確実に閉じることができる。なお、ソケット２２のテーパ部２２ａがフック２０の湾曲部２０ｂに係止される点や、フック２０の先端部がソケット２２の先端より先方へ突出されるとともに、その突出された部分によって釣糸１４を通す孔２４が構成される点については、上述の実施例と同様である。
【図面の簡単な説明】
【００２２】
【図１】釣糸取付具を示す断面図である。
【図２】釣糸取付具の要部を示す断面図である。
【図３】釣糸取付具の使用方法を示す斜視図である。
【図４】他の釣糸取付具の要部を示す断面図である。
【符号の説明】
【００２３】
１０…  釣糸取付具
１２…  釣竿
１２ａ…  穂先
１４…  釣糸
１４ａ…  環状部
１６…  取付管
１８…  ソケット装着軸
２０…  フック
２０ａ…  取付軸
２０ｂ…  湾曲部
２０ｃ…  先端
２０ｄ…  基部
２０ｅ…  開口
２２…  ソケット
２２ａ…  テーパ部
２２ｂ…  ストレート部
２４…  孔
２６…  雄ネジ
２８…  雌ネジ
【図１】
2005328772.tif 000003
【図２】
2005328772.tif 000004
【図３】
2005328772.tif 000005
【図４】
2005328772.tif 000006